(57)【要約】      （修正有）【課題】ローラーシャフトのたるみを防止できる平板ディスプレイ用ガラスのローラーシャフトのたるみ防止装置を提供する。【解決手段】ローラーシャフト１１０の左右両側に形成された固定ハウジング１００の内部に第１エアテンション部１６０と第２エアテンション部１６１を形成し、圧縮空気を供給することにより、圧縮空気の張力で、第１スライディング・ピストン１７０と第２スライディング・ピストン１７１をスライディングスペース１８０、１８１にスライディングさせる。【選択図】図１
2008143704.tif 000002
【特許請求の範囲】
【請求項１】
平板ディスプレイ製造工程で、ガラスの移送の時、前記ガラスが移送されるように回転するローラーシャフトと前記ローラーシャフトの外周面に固定されるように形成し、ガラスを移送する多数のローラーと前記ローラーシャフトと多数のローラーを支えてくれる支持台に構成された平板ディスプレイ用ガラス移送装置において、
前記ローラーシャフトの左右両側に支持台と結合させる固定ハウジング；
前記固定ハウジングの内部に前記回転するローラーシャフトと一体型で回転するシリンダーロード；
前記シリンダーロードの左右両側に形成し、前記回転するローラーシャフト・シリンダーロードと固定ハウジングの間の摩擦力を減らし、回転できるようにする第１ボールベアリング・第２ボールベアリング；
前記第１ボールベアリングの一方に形成し、回転しているローラーシャフトを一定の位置に固定させ、前記ローラーシャフトの自重と前記ガラスによりローラーシャフトにかかる荷重を支えながらローラーシャフトを回転させるスラストベアリング；
前記固定ハウジングの内部に圧縮空気を注入し、前記ガラスによりローラーシャフトに発生する荷重と前記ローラーシャフトの自重により、前記ローラーシャフトがたるむことを圧縮空気の押し出す力で防止する第１エアテンション部・第２エアテンション部；
前記第１エアテンション部の一方と第２エアテンション部の一方に形成し、前記第１エアテンション部の一方と第２エアテンション部に圧縮空気を供給し、前記ローラーシャフトがたるむことを防止するために圧縮空気が押し出す力を受け、スライディングされるように回転する。第１スライドピストン・第２スライドピストン；
前記固定ハウジングの他方に形成し、前記ローラーシャフトを固定するローラーシャフト固定ナット；で構成されることがその特徴である圧縮空気を利用した平板ディスプレイ用ガラスのローラーシャフトのたるみ防止装置。
【請求項２】
請求項１において、
前記固定ハウジングは、第１スライディングピストンと第２スライディングピストンにスライディングスペースを作り、前記第１エアテンション部と第２エアテンション部に圧縮空気を供給し、圧縮空気の張力で、前記第１スライディングピストンと第２スライディングピストンをスライディングスペースに押し出し、前記ローラーシャフトのたるみを防止することがその特徴である圧縮空気を利用した平板ディスプレイ用ガラスのローラーシャフトのたるみ防止装置。
【請求項３】
請求項１において、
前記第１エアテンション部と第２エアテンション部は、圧縮空気の供給時、前記圧縮空気が漏れるのを防止するため、第１スライディングピストンと第２スライディングピストンに回転シールと、前記第１スライディングピストンと第２エアテンション部の間に固定シールを形成することがその特徴である圧縮空気を利用した平板ディスプレイ用ガラスのローラーシャフトのたるみ防止装置。
【発明の詳細な説明】
【技術分野】
【０００１】
本発明は、平板ディスプレイ用ガラスを移送するための移送装置に関するもので、より詳しくは、平板ディスプレイ用ガラスの移送の時に、前記ガラスによりローラーシャフトに生ずる荷重と前記ローラーシャフトの自重により、前記ローラーシャフトがたるむことを、第１エアテンション部と第２エアテンション部に圧縮空気を供給し、前記供給された圧縮空気の張力を利用し、前記ローラーシャフトのたるみを防止できる圧縮空気を利用した平板ディスプレイ用ガラスのローラーシャフトのたるみ防止装置に関するものである。
【０００２】
最近、ディスプレイ技術が発展するに連れ、液晶表示装置(LCD)、プラズマ・ディスプレイ検査台(PDP)、または、有機電計発光素子(有機EL)などを基本表示素子として採用した多用な平板ディスプレイ(flat panel display, FPD)装置が製品として開発され、壁掛け式テレビやマルチメディア用ディスプレイとして利用できるように実用化が進められている。 
【０００３】
前記のような平板ディスプレイにガラス製造工程で各々の高低でガラスをいそうさせる装置では、移送ローラーによる移送装置が主を成していて、前記移送ローラーによる移送装置は、平板ディスプレイ用ガラスを安全に移送する装置として適していた。
【０００４】
前記従来の移送ローラーが具備された平板ディスプレイ用ガラス移送装置は、ローラの上部にガラスを載せ、前記ローラの駆動でいそうする物である。しかし、平板ディスプレイが大型化するにつれ、グラスの大きさが大きくなって、その自重が増加し、前記大型化したグラスの自重が増加し、前記自重を支えられない場合、前記ローラーを支えているローラーシャフトがたるみ、移送過程でグラスが破損されたり、不良率が高くなる問題があった。 
【０００５】
尚、前記のような従来の問題点を解決するため、前記ローラーシャフトの内部に充填物質を挿入し、前記ローラーシャフトの強度を高めたり、前記ローラーシャフトの直径を大きくし、大型化するガラスの荷重によるローラーシャフトのたるみを防止した。しかし、前記のように、ローラーシャフトの内部に充填物質を挿入したり、直径を大きくしたローラーシャフトは、これによる製造費用が増加し効率的ではなかった。前記ローラーシャフトの重さも増加で、前記大型化したガラスの効率的な移送ができない短所があった。
【発明の開示】
【発明が解決しようとする課題】
【０００６】
本発明は、前記のような問題点を解決するために案出された物で、平板ディスプレイ用製造工程において、ガラスの移送の時に前記ガラスから生ずるガラスの荷重とローラーシャフトの自重により、ローラーシャフトがたるむことを防止するために、前記ローラーシャフトの左右両側に形成された固定ハウジングの内部に第１エアテンション部と第２エアテンション部を形成し、圧縮空気を供給することにより、前記圧縮空気の張力で、第１スライディング・ピストンと第２スライディング・ピストンをスライディングさせ、前記ローラーシャフトのたるみを防止できる圧縮空気を利用した平板ディスプレイ用ガラスのローラーシャフトのたるみ防止装置を提供することにその目的がある。
【課題を解決するための手段】
【０００７】
本発明は、平板ディスプレイ製造工程で、ガラスの移送の時、前記ガラスが移送されるように回転するローラーシャフトと前記ローラーシャフトの外周面に固定されるように形成し、ガラスを移送する多数のローラーと前記ローラーシャフトと多数のローラーを支えてくれる支持台に構成された平板ディスプレイ用ガラス移送装置において、
前記ローラーシャフトの左右両側に支持台と結合させる固定ハウジング；
【０００８】
前記固定ハウジングの内部に前記回転するローラーシャフトと一体型で回転するシリンダーロード；
【０００９】
前記シリンダーロードの左右両側に形成し、前記回転するローラーシャフト・シリンダーロードと固定ハウジングの間の摩擦力を減らし、回転できるようにする第１ボールベアリング・第２ボールベアリング；
【００１０】
前記第１ボールベアリングの一方に形成し、回転しているローラーシャフトを一定の位置に固定させ、前記ローラーシャフトの自重と前記ガラスによりローラーシャフトにかかる荷重を支えながらローラーシャフトを回転させるスラストベアリング；
【００１１】
前記固定ハウジングの内部に圧縮空気を注入し、前記ガラスによりローラーシャフトに発生する荷重と前記ローラーシャフトの自重により、前記ローラーシャフトがたるむことを圧縮空気の押し出す力で防止する第１エアテンション部・第２エアテンション部；
【００１２】
前記第１エアテンション部の一方と第２エアテンション部の一方に形成し、前記第１エアテンション部の一方と第２エアテンション部に圧縮空気を供給し、前記ローラーシャフトがたるむことを防止するために圧縮空気が押し出す力を受け、スライディングされるように回転する。第１スライドピストン・第２スライドピストン；
【００１３】
前記固定ハウジングの他方に形成し、前記ローラーシャフトを固定するローラーシャフト固定ナット；で構成されることがその特徴である。
【００１４】
尚、前記固定ハウジングは、第１スライディングピストンと第２スライディングピストンにスライディングスペースを作り、前記第１エアテンション部と第２エアテンション部に圧縮空気を供給し、圧縮空気の張力で、前記第１スライディングピストンと第２スライディングピストンをスライディングスペースに押し出し、前記ローラーシャフトのたるみを防止することがその特徴である。
【００１５】
前記第１エアテンション部と第２エアテンション部は、圧縮空気の供給時、前記圧縮空気が漏れるのを防止するため、第１スライディングピストンと第２スライディングピストンに回転シールと、前記第１スライディングピストンと第２エアテンション部の間に固定シールを形成することがその特徴である。
【００１６】
以下、本発明を具体的に説明するために添付された図面を参考にしながら詳しく説明する。
【００１７】
図１は、本発明による圧縮空気を利用した平板ディスプレイ用ガラスのローラーシャフトのたるみ防止装置の全体図面であり、図２は、本発明による圧縮空気を利用した平板ディスプレイ用ガラスのローラーシャフトのたるみ防止装置の固定ハウジングに関する断面図である。
【００１８】
前記図１と図２に図示されているように、ローラーシャフト(１１０)の左右両側に固定ハウジング(１００)を形成して支持台(１２０)と結合し、前記固定ハウジング(１００)の内部は、ローラーシャフト(１１０)と一体型で回転するシリンダーロード(１３０)を形成し、前記 シリンダーロード(１３０)の左右両側に第１ボールベアリング(１４０)と、第２ボールベアリング(１４１)を形成し、前記回転するローラーシャフト(１１０)、および、シリンダーロード(１３０)と固定ハウジング(１００)の間に発生する摩擦力を減らして回転できるようにしてくれる。前記 第１ボールベアリング(１４０)の一方には、スラストベアリング(１５０)を形成し、前記回転するローラーシャフト(１１０)を一定な位置に固定させ、前記 ローラーシャフト(１１０)の自重と前記ガラスによってローラーシャフト(１１０)にかかる荷重を支えながら前記 ローラーシャフト(１１０)が回転できるようにしてくれる。
【００１９】
前記固定ハウジング(１００)の内部には、第１エアテンション部(１６０)と第２エアテンション部(１６１)を形成し、前記第１エアテンション部(１６０)と第２エアテンション部(１６１)に圧縮空気を注入し、前記圧縮空気を注入した第１エアテンション部(１６０)と第２エアテンション部(１６１)の一方に第１スライディングピストン(１７０)と第２スライディングピストン(１７１)を形成し、圧縮空気の張力で前記ローラーシャフト(１１０)がたるむのを防止するようにスライディングされながら回転し、前記固定ハウジング(１００)の他方にはローラーシャフト固定ナット(１９０)を形成し、前記ローラーシャフト(１１０)と固定されていて一体型で回転できるようにしてくれる。 
【００２０】
前記第１スライディングピストン(１７０)と第２スライディングピストン(１７１)は、 第１エアテンション部(１６０)と第２エアテンション部(１６１)に圧縮空気が注入されると前記第１スライディングピストン(１７０)と第２スライディングピストン(１７
１)の一方に形成されたスライディングスペース(１８０, １８１)へスライディングされ、前記ガラスの自重によって、前記ローラーシャフト(１１０)がたるむのを圧縮空気の張力で、第１スライディングピストン(１７０)と第２スライディングピストン(１７１)をスライディングさせて防止する。 
【００２１】
尚、前記第１エアテンション部(１６０)と第２エアテンション部(１６１)は、圧縮空気の供給時、前記圧縮空気が漏れるのを防ぐために、第１スライディングピストン(１７０)と第２スライディングピストン(１７１)に回転シール(１７２)を形成し、前記第１スライディングピストン(１７０)と第２エアテンション部(１６１)の間に固定シール(１７３)を形成する。 
【００２２】
前記のような構成の本発明は、第１エアテンション部(１６０)と第２エアテンション部(１６１)に圧縮空気を注入し、前記圧縮空気の張力を利用して前記 第１スライディングピストン(１７０)と第２スライディングピストン(１７１)をスライディングスペース(１８０, １８１)に押し出し、前記ローラーシャフト(１１０)がたるむのを防止できて、前記ローラーシャフト(１１０)の直径を小さく製造できるようになる。 
【００２３】
上述したとおり、本発明による望ましい実施例を説明してきたが、本発明は前記の実施例にとどまらず、以下の特許請求範囲で請求する本発明の要旨を外すことなく、当該発明が属する分野で通常の知識を持つ者なら誰でも多様な変更実施が可能な範囲まで本発明の技術的精神があるといえる。
【発明の効果】
【００２４】
本発明は、平板ディスプレイ用製造工程でガラスの移送の時、ローラーシャフト左右庸側の固定ハウジング内部第１エアテンション部と第２エアテンション部に圧縮空気を供給し、前記圧縮空気によって発生する張力で、第１スライディングピストンと第２スライディングピストンをスライディングさせ、前記ガラスから生ずるガラスの荷重とローラーシャフトの自重によって、ローラーシャフトがたれるのを防止できる効果があり、前記ローラーシャフトの直径を小さく製造できることによって、製造単価を節減できる効果がある。 
【図面の簡単な説明】
【００２５】
【図１】本発明による圧縮空気を利用した平板ディスプレイ用ガラスのローラーシャフトのたるみ防止装置の全体図面。
【図２】本発明による圧縮空気を利用した平板ディスプレイ用ガラスのローラーシャフトのたるみ防止装置の固定ハウジングに対する断面図。
【符号の説明】
【００２６】
１００: 固定ハウジング
１１０: ローラーシャフト
１２０: 支持台
１３０: シリンダーロード
１４０: 第１ボールベアリング
１４１: 第２ボールベアリング
１５０: スラスト・ベアリング
１６０: 第１エアテンション部
１６１: 第２エアテンション部
１７０: 第１スライディング・ピストン
１７１: 第２スライディング・ピストン 
１７２: 回転シール
１７３: 固定シール
１８０、１８１ : スライディング・スペース
１９０: ローラーシャフト固定ナット
【図１】
2008143704.tif 000003
【図２】
2008143704.tif 000004